(57)【要約】【課題】ディスク状記録媒体を高速回転した場合にも回転系の振動・騒音を低レベルに抑制可能なディスクドライブ装置を提供する。【解決手段】ディスクドライブ装置に、ディスク状記録媒体１１の回転部３と、ディスク状記録媒体１１を回転部３に押し付けるディスク押さえ具５と、ディスク押さえ具５を回転部３に接近させる方向又は前記回転部から離隔させる方向に移動する開閉操作部４とを備える。ディスク押さえ具５の内部に適量の流動体９を封入した密閉空間５ｄを形成すると共に、開閉操作部４にディスク押さえ具５を揺動可能に取り付ける。【選択図】図２
2007018674.tif 000002
【特許請求の範囲】
【請求項１】
ディスク状記録媒体の回転部と、前記ディスク状記録媒体を前記回転部に押し付けるディスク押さえ具と、前記ディスク押さえ具を前記回転部に接近させる方向又は前記回転部から離隔させる方向に移動する開閉操作部とを備えたディスクドライブ装置において、前記ディスク押さえ具の内部に適量の流動体を封入した密閉空間を形成すると共に、前記開閉操作部に前記ディスク押さえ具を揺動可能に取り付けたことを特徴とするディスクドライブ装置。
【請求項２】
前記ディスク押さえ具のディスク押さえ面を弾性シートにて形成したことを特徴とする請求項１に記載のディスクドライブ装置。
【請求項３】
前記弾性シートの外周に当該弾性シートを構成する弾性体よりも硬質の材料からなるガードリングを設けたことを特徴とする請求項２に記載のディスクドライブ装置。
【発明の詳細な説明】
【技術分野】
【０００１】
本発明は、ディスクドライブ装置に係り、特に、ディスク状記録媒体のインバランスに起因する振動や騒音の軽減手段に関する。
【背景技術】
【０００２】
従来よりコンピュータ用情報、音声情報、静止画像情報又は動画像情報などを記録するためのディスク状記録媒体として市場に提供されているものの多くは、樹脂の射出成形品からなる基板の表面に所要の情報記録層を形成してなる。
【０００３】
ディスク状記録媒体は、ディスクドライブ装置に装着され、高速で回転駆動した状態で情報の記録再生を行うので、ディスク状記録媒体及びディスクドライブ装置に備えられた回転部を含む回転系の振動及び騒音を抑制し、回転系の耐久性の向上と高速かつ安定な記録再生特性を実現するためには、ディスク状記録媒体の動的バランスの狂い、即ちインバランスが小さいほど好ましい。
【０００４】
しかるに、樹脂の射出成形品からなる基板は、射出成形時の気温や原材料ペレットのロッドの違いそれに経時的に変化する金型温度の不均一などによって金型キャビティ内に流れ込むときの樹脂の流れの方向や圧力が不均一になるため、射出成形に関する諸条件を工夫しても、部分的に密の部分と粗の部分とが生じて面方向に厚みむらが生じることを防止できない。
【０００５】
このような事情から、樹脂の射出成形品からなる基板を備えたディスク状記録媒体は、ディスクドライブ装置に装着して回転駆動したときのインバランスをある程度以下に抑制することが困難であるが、現状においては、ディスク状記録媒体が比較的低い回転域で使用されているため、ディスク状記録媒体のインバランスが重大な不都合を生じる原因とはなっていない。
【発明の開示】
【発明が解決しようとする課題】
【０００６】
しかしながら、近年、ディスク状記録媒体については、より一層の記録密度の高密度化及び転送速度の高速化が求められており、かかる要請に対処するため、記録再生時における回転数がますます増加される傾向にある。
【０００７】
記録再生時におけるディスク状記録媒体の回転数が増加されると、ディスク状記録媒体に作用する遠心力が大きくなるので、ディスク状記録媒体にインバランスがあると、回転系の振動が大きくなって回転系より発生する騒音が大きくなると共に、ディスク状記録媒体に作用する不正なせん断応力や曲げ応力が大きくなって安定な記録再生動作を維持することが困難になったり、最悪の場合にはディスク状記録媒体が破壊するという重大な不都合を発生するおそれがある。
【０００８】
本発明は、かかる従来技術の不備を解消するためになされたものであり、その目的は、ディスク状記録媒体を高速回転した場合にも回転系の振動・騒音を低レベルに抑制可能なディスクドライブ装置を提供することにある。
【課題を解決するための手段】
【０００９】
本発明は、前記の課題を解決するため、ディスク状記録媒体の回転部と、前記ディスク状記録媒体を前記回転部に押し付けるディスク押さえ具と、前記ディスク押さえ具を前記回転部に接近させる方向又は前記回転部から離隔させる方向に移動する開閉操作部とを備えたディスクドライブ装置において、前記ディスク押さえ具の内部に適量の流動体を封入した密閉空間を形成すると共に、前記開閉操作部に前記ディスク押さえ具を揺動可能に取り付けるという構成にした。
【００１０】
前記したように、樹脂の射出成形品からなる基板を備えたディスク状記録媒体には、基板の厚みむらに起因するインバランスが必然的に生じている。したがって、このインバランスを生じているディスク状記録媒体をディスクドライブ装置に備えられた回転部と開閉操作部に対して揺動可能に取り付けられているディスク押さえ具との間でクランプすると、基板の厚みむらを生じている方向とは逆側に、基板の厚みむらに応じた量だけディスク押さえ具が傾斜し、密閉空間内に封入された流動体がディスク押さえ具の傾斜に沿って一方向に移動するので、基板の厚みむらに起因するディスク状記録媒体のインバランスが流動体の移動によって緩和又は解消される。したがって、ディスク状記録媒体を高速で回転した場合にも、回転系の振動が緩和されると共に、回転系の振動に起因する騒音及び記録再生特性の劣化が抑制され、さらにはディスク状記録媒体の破壊が防止される。
【００１１】
また、本発明は、前記構成のディスクドライブ装置において、前記ディスク押さえ具のディスク押さえ面を弾性シートにて形成するという構成にした。
【００１２】
このように、ディスク押さえ具のディスク押さえ面を弾性シートにて形成すると、ディスク状記録媒体の振動を吸収することができるので、回転駆動時における回転系の振動及び騒音をより軽減することができる。
【００１３】
また、本発明は、前記構成のディスクドライブ装置において、前記弾性シートの外周に当該弾性シートを構成する弾性体よりも硬質の材料からなるガードリングを設けるという構成にした。
【００１４】
前記のように、ディスク押さえ具のディスク押さえ面を弾性シートにて形成すると、回転駆動時における回転系の振動及び騒音の軽減に効果があるが、基板の厚みむらが弾性シートの弾力性によって吸収されるため、ディスク状記録媒体のインバランスを緩和する効果が弱くなると共に、ディスク状記録媒体とディスク押さえ具との一体性が損なわれるため、ディスク押さえ具の回転安定性が不安定になる。そこで、弾性シートの外周にガードリングを設けると、かかる不都合が解消される。
【発明の効果】
【００１５】
本発明のディスクドライブ装置は、ディスク状記録媒体を回転部に押し付けるディスク押さえ具に適量の流動体を封入した密閉空間を形成すると共に、当該ディスク押さえ具を回転部に接近させる方向又は回転部から離隔させる方向に移動する開閉操作部にディスク押さえ具を揺動可能に取り付けたので、回転部に装着されたディスク状記録媒体の表面にディスク押さえ具を押し付けたとき、基板の厚みむらを生じている方向とは逆側に、基板の厚みむらに応じた量だけディスク押さえ具が傾斜し、密閉空間内に封入された流動体をディスク押さえ具の傾斜の方向に移動させることができる。よって、基板の厚みむらに起因するディスク状記録媒体のインバランスを流動体の移動によって緩和又は解消することができ、ディスク状記録媒体の高速回転特性を良好なものにすることができる。
【発明を実施するための最良の形態】
【００１６】
以下、本発明に係るディスクドライブ装置の実施形態例を図１乃至図４に基づいて説明する。図１は第１実施形態例に係るディスクドライブ装置の構成図、図２は第１実施形態例に係るディスクドライブ装置の使用状態の説明図、図３は第２実施形態例に係るディスクドライブ装置の構成図、図４は第３実施形態例に係るディスクドライブ装置の構成図である。
【００１７】
図１及び図２に示すように、第１実施形態例に係るディスクドライブ装置１Ａは、基体２上に設定された回転部３と、開閉操作部４によって回転部３と接近する方向又は回転部３から離隔する方向に移動されるディスク押さえ具５とから構成されている。
【００１８】
回転部３は、基体２上に設定された回転モータ６と、当該回転モータ６の主軸である回転スピンドル７と、当該回転スピンドル７に固着されたターンテーブル８とからなり、回転モータ６は、基体２の下方に配置された図示しない電源部及び回転制御部に接続されている。また、ターンテーブル８には、ディスク押さえ具５を吸着するためのマグネット８ａが内蔵されている。
【００１９】
開閉操作部４は、基体２に対して上下動可能に構成されており、ユーザにより手動又は自動で開閉操作される。この開閉操作部４の下面には、ディスク押さえ具５を脱落不能に保持する孔あき円筒形の保持部４ａが形成されている。
【００２０】
ディスク押さえ具５は、本体部５ａと、本体部５ａの上面中心部より起立された軸部５ｂと、軸部５ｂの上端より径方向に張り出された係合部５ｃとから構成されており、本体部５ａの外径は、ターンテーブル８の外径とほぼ同程度に形成される。このディスク押さえ具５は、軸部５ｂを保持部４ａに開設された透孔内に貫通し、係合部５ｃを保持部４ａの内部下面に係合させることによって保持部４ａに取り付けられ、回転部３と対向に配置される。本体部５ａは、磁性体をもって構成されており、その内部には適量の流動体９が封入された密閉空間５ｄが形成されている。密閉空間５ｄ内における流動体９の封入量は、密閉空間５ｄを満たさない適宜の量に設定される。
【００２１】
以下、このように構成された第１実施形態例に係るディスクドライブ装置１Ａの動作を図２に基づいて説明する。
【００２２】
まず、開閉操作部４を上昇し、ディスク押さえ具５を回転部３から離隔した状態で、回転部３のターンテーブル８にディスク状記録媒体１１を装着する。ディスク状記録媒体１１は、樹脂の射出成形品からなる基板１２に例えば光記録材料、磁気記録材料、光磁気記録材料又はホログラム材料などからなる情報記録層１３を形成したもので、基板１２の中心部には、直径が回転スピンドル７の外径よりもやや大きいセンタ孔１２ａが開設されている。ターンテーブル８へのディスク状記録媒体１１の装着は、センタ孔１２ａ内に回転スピンドル７を挿入し、ディスク状記録媒体１１の下面をターンテーブル８に密着させることにより行われる。これにより、ターンテーブル８へのディスク状記録媒体１１の装着と、回転スピンドル７に対するディスク状記録媒体１１の心出しとが完了する。なお、図２の例では、単板構造のディスク状記録媒体１１が用いられているが、本発明の要旨はこれに限定されるものではなく、２枚の記録単板を接着剤を介して貼り合わせた密着貼り合わせ構造のディスク状記録媒体など、公知に属する任意のディスク状記録媒体を用いることができる。
【００２３】
次いで、開閉操作部４を下降し、ディスク押さえ具５の下面をターンテーブル８上に装着されたディスク状記録媒体１１の上面に当接する。開閉操作部４は、ディスク押さえ具５の下面がディスク状記録媒体１１の上面に当接した後も下降を継続し、図２の状態になった段階で、図示しないドライブ装置の本体部に保持される。したがって、開閉操作部４がドライブ装置の本体部に保持された状態においては、開閉操作部４とディスク押さえ具５との係合が解除され、ディスク押さえ具５は、ターンテーブル８に備えられたマグネット８ａに吸引されて、ディスク状記録媒体１１をクランプする。ディスク押さえ具５は、ターンテーブル８及びディスク状記録媒体１１と共に回転駆動される。
【００２４】
図２に示すように、樹脂の射出成形品からなる基板１２を備えたディスク状記録媒体１１には、基板の厚みむらｄに起因するインバランスが必然的に生じている。したがって、このインバランスを生じているディスク状記録媒体１１をターンテーブル８とディスク押さえ具５との間でクランプすると、ディスク押さえ具５は、基板１２の厚みむらｄを生じている方向とは逆側に、基板１１の厚みむらｄに応じた量だけ傾斜し、密閉空間５ｄ内に封入された流動体９がディスク押さえ具５の傾斜に沿って一方向に移動する。これにより、基板１２の厚みむらｄに起因するディスク状記録媒体１１のインバランスが流動体９の移動によって緩和又は解消されるので、第１実施形態例に係るディスクドライブ装置１Ａによれば、ディスク状記録媒体１１を高速で回転した場合にも、回転系の振動が緩和されると共に、回転系の振動に起因する騒音及び記録再生特性の劣化が抑制され、さらにはディスク状記録媒体１１の破壊が防止される。
【００２５】
市販されているディスク状記録媒体を第１実施形態例に係るディスクドライブ装置１Ａとディスク押さえ具内に流動体が内蔵されていない従来例に係るディスクドライブ装置とに装着して１２０００ｒｐｍで回転したところ、従来例に係るディスクドライブ装置を用いた場合には、ディスク状記録媒体の振幅が約１００μｍで、ディスクドライブ装置の騒音レベルが約７０ｄＢであったのに対し、第１実施形態例に係るディスクドライブ装置１Ａを用いた場合には、ディスク状記録媒体の振幅が約７０μｍで、ディスクドライブ装置の騒音レベルが約５０ｄＢとなり、第１実施形態例に係るディスクドライブ装置１Ａは、記録再生時におけるディスク状記録媒体の振動及びディスクドライブ装置の騒音の抑制に顕著な効果があることがわかった。
【００２６】
次に、第２実施形態例に係るディスクドライブ装置１Ｂについて説明する。図３に示すように、第２実施形態例に係るディスクドライブ装置１Ｂは、ディスク押さえ具５の下面に弾性シート２１を設け、当該弾性シート２１をディスク状記録媒体１１の上面に当接するようにしたことを特徴とする。
【００２７】
弾性シート２１としては、所要の厚みを有するゴムシートや合成樹脂シートを用いることができる。また、ディスク押さえ具５への取付方法としては、接着や融着などを用いることができる。その他の部分については、第１実施形態例に係るディスクドライブ装置１Ａと同じであるので、対応する部分に同一の符号を付して説明を省略する。
【００２８】
本例のディスクドライブ装置１Ｂは、ディスク押さえ具５の下面に弾性シート２１を設け、当該弾性シート２１をディスク状記録媒体１１の上面に当接するようにしたので、ディスク状記録媒体１１の振動を吸収することができ、回転駆動時における回転系の騒音をより軽減することができる。市販されているディスク状記録媒体を第２実施形態例に係るディスクドライブ装置１Ｂとディスク押さえ具の下面に弾性シートが設けられていない従来例に係るディスクドライブ装置とに装着して１００００ｒｐｍで回転したところ、従来例に係るディスクドライブ装置を用いた場合には、ディスク状記録媒体の振幅が約１５０μｍであったのに対し、第２実施形態例に係るディスクドライブ装置１Ｂを用いた場合には、ディスク状記録媒体の振幅が約６０μｍとなり、第２実施形態例に係るディスクドライブ装置１Ｂも、記録再生時におけるディスク状記録媒体の振動及びディスクドライブ装置の騒音の抑制に顕著な効果があることがわかった。
【００２９】
次に、第３実施形態例に係るディスクドライブ装置１Ｃについて説明する。図４に示すように、第３実施形態例に係るディスクドライブ装置１Ｃは、ディスク押さえ具５の下面に弾性シート２１を設けると共に、その外周に当該弾性シート２１を構成する弾性体よりも硬質の材料からなるガードリング２２を設けたことを特徴とする。
【００３０】
ガードリング２２は、硬質の合成樹脂材料や金属材料をもって形成することができ、ディスク押さえ具５と不可分の一体に形成することもできるし、ディスク押さえ具５と別体に形成したものをディスク押さえ具５の外周に嵌合することもできる。その他の部分については、第２実施形態例に係るディスクドライブ装置１Ｂと同じであるので、対応する部分に同一の符号を付して説明を省略する。
【００３１】
本例のディスクドライブ装置１Ｃは、ディスク押さえ具５の下面に弾性シート２１を設けたので、回転駆動時における回転系の騒音を軽減できると共に、その外周に硬質のガードリング２２を設けたので、ディスク状記録媒体１１の厚みむらｄに応じた角度だけディスク押さえ具５を正確に傾斜させることができ、ディスク状記録媒体１１のインバランスに起因する振動や騒音を抑制する効果を高めることができる。
【図面の簡単な説明】
【００３２】
【図１】第１実施形態例に係るディスクドライブ装置の構成図である。
【図２】第１実施形態例に係るディスクドライブ装置の使用状態の説明図である。
【図３】第２実施形態例に係るディスクドライブ装置の構成図である。
【図４】第３実施形態例に係るディスクドライブ装置の構成図である。
【符号の説明】
【００３３】
１Ａ，１Ｂ，１Ｃ    ディスクドライブ装置
２    基体
３    回転部
４    開閉操作部
５    ディスク押さえ具
５ｄ    密閉空間
６    回転モータ
７    回転スピンドル
８    ターンテーブル
９    流動体
１１    ディスク状記録媒体
２１    弾性シート
２２    ガードリング
【図１】
2007018674.tif 000003
【図２】
2007018674.tif 000004
【図３】
2007018674.tif 000005
【図４】
2007018674.tif 000006